(57)【要約】【課題】仕切りにおける収容領域の状態を容易に確認することができる仕切り体を提供すること。【解決手段】遊技機２の前下方の空間を仕切るための仕切り体１０２であって、仕切り体１０２は、遮光性を有し、仕切り体１０２の一側面には所定用品１１を収容するための収容領域１０５が設けられ、仕切り体１０２における収容領域１０５に対応する箇所に透光部１０７が設けられている。【選択図】図４
2017195954.tif 000002
【特許請求の範囲】
【請求項１】
遊技機の前下方の空間を仕切るための仕切り体であって、
前記仕切り体は、遮光性を有し、該仕切り体の一側面には所定用品を収容するための収容領域が設けられ、
前記仕切り体における前記収容領域に対応する箇所に透光部が設けられている
ことを特徴とする仕切り体。
【請求項２】
前記仕切り体の上部には、変位可能な上部仕切り体の下端部の変位を案内する案内部が設けられている
ことを特徴とする請求項１に記載の仕切り体。
【請求項３】
前記仕切り体は、他の装置と電気的に接続可能な接続部を有する
ことを特徴とする請求項１または２に記載の仕切り体。
【請求項４】
前記仕切り体は、外部光源からの光により発光する発光部を有する
ことを特徴とする請求項１〜３のいずれかに記載の仕切り体。
【発明の詳細な説明】
【技術分野】
【０００１】
本発明は、遊技機の前下方の空間を仕切るための仕切り体に関する。
【背景技術】
【０００２】
遊技店に設置された遊技島に並設された複数の遊技機（例えば、パチンコ遊技機やスロットマシン等）の前下方の空間に、各遊技機の間に設けられた煙遮断板の下端部が連結される枠状の仕切り体が前記空間を仕切るように設けられたもの等があった（例えば、特許文献１参照）。
【先行技術文献】
【特許文献】
【０００３】
【特許文献１】特開２００７−２９４９６号公報
【発明の概要】
【発明が解決しようとする課題】
【０００４】
上記特許文献１に記載の仕切り体は、所定用品を収容可能な収容領域がないため、例えば、仕切り体の一側面に収容領域を設けて所定用品を収容できるようにすることが考えられるが、該仕切り体が遮光性を有していると、例えば、仕切り体における収容領域が設けられた面の反対側から各仕切り体の収容領域の状態を確認することができないため、所定用品を収容領域に戻す等の遊技店の店員の作業効率が低下するといった問題があった。
【０００５】
本発明は、このような問題点に着目してなされたもので、収容領域の状態を容易に確認することができる仕切り体を提供することを目的とする。
【課題を解決するための手段】
【０００６】
前記課題を解決するために、本発明の手段１の仕切り体は、
遊技機（例えば、パチンコ遊技機２／スロットマシン）の前下方の空間（例えば、空間Ｓ）を仕切るための仕切り体（例えば、仕切り体１０２）であって、
前記仕切り体は、遮光性を有し、該仕切り体の一側面（例えば、仕切り体１０２の右面）には所定用品（例えば、種々の表示札１１、パチンコ遊技機２に関連する情報が記載された説明書等／可動板材４０２）を収容するための収容領域（例えば、凹部１０５）が設けられ、
前記仕切り体における前記収容領域に対応する箇所に透光部が設けられている（例えば、仕切り体１０２を右側から見て凹部１０５の奥側に配置される奥面１０５ａに左右方向に貫通する貫通孔１０７を設けている。図４及び図５参照）
ことを特徴としている。
この特徴によれば、収容領域が設けられた面の反対側から透光部を介して収容領域の状態を確認することが可能となる。
【０００７】
本発明の手段２の仕切り体は、手段１に記載の仕切り体であって、
前記仕切り体（例えば、仕切り体１０２）の上部には、変位可能な上部仕切り体（例えば、分煙装置３０２）の下端部の変位を案内する案内部（例えば、傾斜面１０３ａ、導光板１０３の上面／凹条部１２０）が設けられている
ことを特徴としている。
この特徴によれば、上部仕切り体の変位を円滑に案内することができる。
【０００８】
本発明の手段３の仕切り体は、手段１または２に記載の仕切り体であって、
前記仕切り体（例えば、仕切り体１０２）は、他の装置（例えば、遊技者が所有するスマートフォン等の電子機器、遊技島１に設けられた装置）と電気的に接続可能な接続部（例えば、ＵＳＢコネクタ１１０、コネクタ１１１）を有する
ことを特徴としている。
この特徴によれば、他の装置と接続可能とすることができる。
【０００９】
本発明の手段４の仕切り体は、手段１〜３のいずれかに記載の仕切り体であって、
前記仕切り体（例えば、仕切り体１０２）は、外部光源（ＬＥＤユニット３１１／パチンコ遊技機２や店内の照明）からの光により発光する発光部（例えば、導光板１０３／反射板）を有する
ことを特徴としている。
この特徴によれば、仕切り体に光源を設けることなく装飾性を高めることができる。
【００１０】
本発明の手段５の仕切り体は、手段１〜４のいずれかに記載の仕切り体であって、
前記仕切り体（例えば、仕切り体１０２）には、遊技に関連する情報（例えば、遊技機の機種名、スペックといった対応する遊技機に関連する情報や、新台や空台、貸出レートといった遊技店側が提供する情報等）を表示可能な表示体（例えば、表示札１１）が着脱可能である
ことを特徴としている。
この特徴によれば、遊技前の遊技客に対して遊技に関連する情報を提供することができる。
【００１１】
本発明の手段６の仕切り体は、手段１〜５のいずれかに記載の仕切り体であって、
前記仕切り体（例えば、仕切り体１０２）には、肘掛け（例えば、肘掛装置４００）が着脱可能である
ことを特徴としている。
この特徴によれば、遊技者に対して快適な遊技空間を提供できる。
【００１２】
本発明の手段７の仕切り体は、手段１〜６のいずれかに記載の仕切り体であって、
前記仕切り体（例えば、仕切り体１０２）には、遊技者の所持品（例えば、傘Ａやカバン等）を掛けるための引掛け部（例えば、引掛け部１０９）が設けられている
ことを特徴としている。
この特徴によれば、遊技者の利便性を向上させることができる。
【００１３】
本発明の手段８の仕切り体は、手段１〜７のいずれかに記載の仕切り体であって、
前記所定用品（例えば、可動板材４０２）は、前記収容領域（例えば、凹部１０５）に収容される収容状態と使用状態とに変形可能な物品であり、（例えば、肘掛装置４００を使用するときには、可動板材４０２を操作して該可動板材４０２が水平、つまり、仕切り体１０２に対し直交する向きとなる使用状態とする。肘掛装置４００を使用しないときには、リンク部材４１１，４１２の接続箇所（第１回動軸４１３近傍）を操作して可動板材４０２が垂直な向きとなる収容状態とする。図８参照）
前記所定用品は、前記収容状態において前記透光部（例えば、貫通孔１０７）に重なるように配置されている
ことを特徴としている。
この特徴によれば、収容領域が設けられた面の反対側から透光部を介して所定用品が収容状態か否かを確認することができる。
【００１４】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１５】
【図１】実施例における仕切装置が設けられている遊技島を示す正面図である。
【図２】遊技島を示す側断面図である。
【図３】遊技島の一部を示す斜視図である。
【図４】仕切装置を前方から見た状態を示す斜視図である。
【図５】（Ａ）は仕切装置を示す右側面図、（Ｂ）は仕切装置を示す正面図、（Ｃ）はＡ−Ａ断面図である。
【図６】（Ａ）は表示札の入れ替え作業時に各仕切装置の表示札が取り除かれた様子を示す説明図、（Ｂ）は表示札の入れ替え作業時に仕切装置に表示札が残っている様子を示す説明図である。
【図７】（Ａ）は肘掛装置を取付けた仕切装置を前方から見た斜視図、（Ｂ）は仕切装置に肘掛装置を取付ける様子を前方から見た斜視図である。
【図８】（Ａ）は肘掛装置の使用状態を示す正面断面図、（Ｂ）は肘掛装置の不使用状態を示す正面断面図である。
【図９】（Ａ）は収容状態の分煙板装置を示す説明図、（Ｂ）は分煙板装置の構造を示すＢ−Ｂ断面図である。
【図１０】（Ａ）は分煙板装置の延出動作時に第１分煙板が下方に傾いた状態を示す説明図、（Ｂ）は第１分煙板が傾斜面に案内された状態を示す説明図、（Ｃ）は第１分煙板が導光板の上面に案内された状態を示す説明図である。
【図１１】ＬＥＤユニットにより導光板が発光した状態を示すＣ−Ｃ断面図である。
【図１２】（Ａ）は案内部の変形例を示す背面側から見た斜視図、（Ｂ）は変形例における案内部に第１分煙板が案内された状態を示す説明図である。
【発明を実施するための形態】
【００１６】
本発明の実施例を以下に説明する。
【実施例】
【００１７】
本発明が適用された仕切装置（仕切り体）について、図面に基づいて説明する。図１は、実施例における仕切装置が設けられている遊技島を示す正面図である。図２は、遊技島を示す側断面図である。図３は、遊技島の一部を示す斜視図である。尚、以下の説明において、説明の便宜上、図１の手前側を遊技島、遊技機、カードユニット、ユーティリティーユニットの前側、左右方向を左右側として説明する。
【００１８】
図１〜図３に示すように、本発明の実施例としての遊技島１（遊技機設置島とも言う）は、例えば、遊技店（図示略）内に複数配設されている。遊技島１は、パチンコ遊技機２を左右方向に向けて複数設置可能に横長に構成され、その前後面には、パチンコ遊技機２が設置される設置空間部ＳＦ，ＳＢが長手方向に向けて複数個所に形成されている。
【００１９】
尚、本実施例のパチンコ遊技機２は、遊技島１の内部に設けられた図示しない供給装置から遊技媒体の一例である遊技球の供給を受け、遊技者の遊技の結果として払い出された遊技球をパチンコ遊技機２の前側から排出可能であるとともに、遊技に使用された遊技球を該パチンコ遊技機２の背面側から排出するパチンコ遊技機として説明するが、遊技島１に設置されるパチンコ遊技機２は、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される封入式パチンコ遊技機であってもよい。また、本実施例では、遊技島１に遊技機の一例であるパチンコ遊技機２を設置した形態を例示しているが、本発明はこれに限定されるものではなく、遊技用価値としてメダル並びにクレジットを用いて賭数を設定することで遊技を行うことが可能な遊技機の他の例であるスロットマシン等を設置することも可能である。
【００２０】
各パチンコ遊技機２の左側方には、遊技者に対し遊技球の貸出を行うためのカードユニット６がパチンコ遊技機２と近接して配置されている。更に、各カードユニット６の左側方には、後述するユーティリティーユニット７がカードユニット６と近接して配置されている。また、各パチンコ遊技機２の右側方には、隣り合うパチンコ遊技機２の間に所定のスペース（遊技島１の右端に配置されるパチンコ遊技機２にあっては、遊技島１の右側端を構成する側板９Ｒとの距離）を確保するためのスペーサ８が配置されている。つまり、本実施例における遊技島１においては、各パチンコ遊技機２に１対１に対応して、カードユニット６とユーティリティーユニット７とスペーサ８とが各々配設されている。
【００２１】
ユーティリティーユニット７には、例えば、パチンコ遊技機２の周辺の空気を清浄するための空気清浄装置３０１と、煙草等の煙流動を抑制するための分煙装置３０２と、吸い殻を受入れ可能な吸殻受入部３０５と、が配設されている。
【００２２】
分煙装置３０２は、ユーティリティーユニット７の本体に対し前後に相対的にスライド可能に設けられた第１分煙板３０３及び第２分煙板３０４から主に構成されており、ユーティリティーユニット７から引出すことで、遊技島１の前方におけるパチンコ遊技機２に対応する空間（具体的には、設置空間部ＳＦ，ＳＢから椅子Ｃの背凭れ付近まで広がる空間）を隣り合うパチンコ遊技機２の間で仕切る使用状態とすることができ、ユーティリティーユニット７の本体内に押し込むことで不使用状態（収容状態）となる。尚、本実施例では、ユーティリティーユニット７には、空気清浄装置３０１、分煙装置３０２及び吸殻受入部３０５が配設されているが、配設される装置の種別等は種々に変更可能である。
【００２３】
本実施例の遊技島１は、床面Ｙ上に設置されフレーム部材からなる躯体５の前後左右側面に、腰板１２Ｆ，１２Ｂ、膳板１３や設置板１３ａ、幕板５０及び遊技島１の長手方向の両端部の側板９Ｌ，９Ｒが取付けられることにより構成され、これら腰板１２Ｆ，１２Ｂ、膳板１３や設置板１３ａ、幕板５０及び側板９Ｌ，９Ｒにより覆われた空間を遊技島１の内部空間とし、該内部空間内には、パチンコ遊技機２の関連設備等が配設される。
【００２４】
躯体５の上部前側には、遊技店員を呼出す呼出しスイッチ（図示略）を備えた呼出しランプ２００が配置された幕板５０が、上辺を中心として開閉可能に取付けられている。この呼出しランプ２００は、各パチンコ遊技機２に１対１に対応して設けられている。また、各呼出しランプ２００の側方には、遊技に関連する情報（例えば、遊技機の機種名、スペックといった対応する遊技機に関連する情報や、新台や空台、貸出レートといった遊技店側が提供する情報等）を表示する種々の表示札１１を取付け可能なスリット状の取付部２０が各パチンコ遊技機２に１対１に対応して配置されている。詳しくは、表示札１１は、遊技に関連する情報を表示する情報表示部１１ａと、情報表示部１１ａから突出する差込部１１ｂと、を備えており、差込部１１ｂを取付部２０に差し込むことで幕板５０に対して表示札１１が着脱可能となっている。
【００２５】
躯体５の前後面下部には、木製の腰板１２Ｆ，１２Ｂ及びその上方に固定される設置板１３ａが取付けられるようになっており、該設置板１３ａの上面、つまり設置空間部ＳＦ，ＳＢには、複数のパチンコ遊技機２が設置板１３ａの長手方向に沿って設置されるとともに、設置された各パチンコ遊技機２に対応してカードユニット６、ユーティリティーユニット７及びスペーサ８が設置される。
【００２６】
また、遊技島１の内部空間には、各パチンコ遊技機２に遊技球を補給するための補給経路（図示略）及び各パチンコ遊技機２から排出された遊技に使用された遊技球を回収搬送する回収通路（図示略）が遊技島１の長手方向に向けて設置されている。尚、回収通路により回収された遊技球は、遊技島１の内部に設けられた揚送装置２１０及び揚送経路２２０、揚送された遊技球を貯留する上部タンク２３０といった遊技球の循環経路（図２参照）まで搬送される。
【００２７】
さらに、各パチンコ遊技機２に対応して配置されるカードユニット６に投入された紙幣を搬送する紙幣搬送ユニット１５０と、ユーティリティーユニット７の吸殻受入部３０５から投入された吸殻を回収する吸殻回収装置１５１と、が長手方向に延設されている。
【００２８】
遊技島１の前方における膳板１３より下方の腰板１２Ｆ，１２Ｂに対応する空間、つまり、パチンコ遊技機２の前下方の空間Ｓには、各分煙装置３０２の位置に対応して仕切装置１００が床面Ｙに立設されている。つまり、これら複数の仕切装置１００は、各パチンコ遊技機２の前方に複数の遊技スペースが形成されるように空間Ｓを左右に仕切る（区画する）ように設けられている。尚、空間Ｓは、具体的には腰板１２Ｆ，１２Ｂから椅子Ｃの背凭れ付近まで広がる空間である。各仕切装置１００と膳板１３との対向する端面同士は当接しており、各仕切装置１００同士は平行となるように並列されている。尚、本実施例では、各仕切装置１００と膳板１３との対向する端面同士は当接しているが、本発明はこれに限定されるものではなく、互いに離間していてもよい。また、各仕切装置１００と膳板１３とは連結されていないが、連結具等を用いて連結固定してもよく、このようにすることで、仕切装置１００を安定して支持することができる。
【００２９】
仕切装置１００の上部には、分煙装置３０２が使用状態へ変化したときに第１分煙板３０３が載置されるようになっており、分煙装置３０２は、遊技島１の前方におけるパチンコ遊技機２（設置空間部ＳＦ，ＳＢ）に対応する空間を左右に仕切る（区画する）ための上部仕切り体として機能する。
【００３０】
また、空間Ｓにおいて各仕切装置１００により仕切られた各遊技スペースには、パチンコ遊技機２にて遊技を行う遊技者が着席するための椅子Ｃが床面Ｙに固定されている。この椅子Ｃは、椅子Ｃの座面部Ｃ１の遊技島１側の一部の領域が側方から見て仕切装置１００に重畳するように配置されている。尚、遊技島１の背面側においても前面側と対称的に同様の構成となっている。
【００３１】
次いで、図１〜図６を用いて仕切装置１００の基本的構造を説明する。図４は、仕切装置を前方から見た状態を示す斜視図である。図５は、（Ａ）は仕切装置を示す右側面図、（Ｂ）は仕切装置を示す正面図、（Ｃ）はＡ−Ａ断面図である。図６は、（Ａ）は表示札の入れ替え作業時に各仕切装置の表示札が取り除かれた様子を示す説明図、（Ｂ）は表示札の入れ替え作業時に仕切装置に表示札が残っている様子を示す説明図である。尚、以下、遊技島１の前面側に配置される仕切装置１００のみを説明し、遊技島１の背面側に配置される仕切装置１００の説明を省略する。
【００３２】
図１〜図５に示すように、各仕切装置１００は、床面Ｙに対してアンカーボルト１４により固定されるベース板１０１と、ベース板１０１から上方に立設する板状の仕切り体１０２と、仕切り体１０２の上端に固定される透光性を有する導光板１０３と、を備えている。この導光板１０３の上面における遊技島１側の端部には、後述するように、分煙装置３０２を案内する傾斜面１０３ａが遊技島１側に向けて下方に傾斜するように形成されている。
【００３３】
図２に示すように、仕切り体１０２は、遮光性を有する合成樹脂により形成され、各椅子Ｃの側方における各ユーティリティーユニット７に対応する位置に配置されている。このように、仕切り体１０２は遮光性を有しているため、椅子Ｃに着席した遊技者の下肢が仕切り体１０２により側方から視認され難くなる。これにより、一部の遊技者（例えば、女性の遊技者等）が、その遊技者の下肢に対する他の遊技者からの視線によって遊技に集中できない等といった問題が解消される。尚、仕切り体１０２は、遮光性を有していればよく、例えば、透過性を有する合成樹脂で形成された板材に遮光性を有する塗料やシート等で装飾して構成してもよいし、金属や木材等の遮光性を有する部材により構成されてもよい。また、本実施例では、複数の仕切装置１００は全て同様に構成され、遊技島１の前面からの離間距離や向きといった位置関係が全て同じとなるように配置されている。
【００３４】
仕切り体１０２は、その上部に遊技島１と反対側（椅子Ｃの前側に設けられる通路側）に張り出す突出部１０２ａを有している。尚、突出部１０２ａは、前端が椅子Ｃの座面部Ｃ１より通路側に張り出さない程度に突出している。また、突出部１０２ａの前端には、表示札１１を取付け可能なスリット状の取付部１０４が形成されている。この取付部１０４に表示札１１の差込部１１ｂを差し込むことで、仕切り体１０２から通路側に張り出すように種々の表示札１１を取付けることが可能であるとともに、不要な場合は取付部１０４から差込部１１ｂを引出すことで取外しできるようになっている。
【００３５】
これによれば、遊技島１とは反対側に突出部１０２ａ及び表示札１１が張り出すため、遊技島１の上部である幕板５０に対し表示札１１を取付けるだけでなく、遊技島１の下方にも別の表示札１１を取付けることが可能となるので、遊技島１とは別個に設けた仕切装置１００を利用して、遊技者に対しより多くの情報を提供することができる。また、表示札１１を取付けることで、椅子Ｃに着席した遊技者の下肢の大部分が側方から視認され難くなる。
【００３６】
また、仕切り体１０２は、表示札１１の取付けや遊技者の下肢を視認し難くするために、仕切り体１０２の上部が突出部１０２ａにより遊技島１から通路側に膨出しているため、仕切り体１０２の下部は、突出部１０２ａがある上部よりも前後方向に小さい寸法となっている。すなわち、突出部１０２ａの下方にスペースが確保され、遊技者の脚がぶつかりにくくなっているため、遊技者が椅子Ｃに対して離席・着席をスムーズに行うことができる。
【００３７】
尚、本実施例では、仕切り体１０２に対し突出部１０２ａは通路側へ突出するように形成されていたが、例えば、仕切り体１０２の下部から腰板１２Ｆ，１２Ｂにかけて突出する突出部を形成し、空間Ｓにおける膳板１３の下方の空間を仕切るようにしてもよい。このようにすることで、より遊技者の下肢を視認し難くすることができる。
【００３８】
また、突出部１０２ａには、遊技者の所持品を掛けるための引掛け部１０９が右側に突出して設けられており、例えば、遊技者の所持品である傘Ａやカバン等を掛けることができるようになっている（図５（ａ），（ｂ）参照）。
【００３９】
図４及び図５に示すように、仕切り体１０２の右側面の一部には、略縦長矩形状の凹部１０５が形成され、該凹部１０５の下方右端縁には、上方に所定寸法立ち上がる側壁部１０６が設けられている。この凹部１０５には、前述した種々の表示札１１（表示体）やパチンコ遊技機２に関連する情報が記載された説明書（例えば、パチンコ遊技機２のスペックや遊技方法等の解説）や遊技店の広告等といった遊技店側が所有する所定用品を収容でき、かつ側壁部１０６により凹部１０５から所定用品が落下することを防止できる（図５（ａ），（ｃ）参照）。すなわち、各遊技スペースに対応して所定用品を収容するための収容領域としての凹部１０５が設けられており、各収容領域には所定用品がそれぞれ収容可能とされている。
【００４０】
このような遊技島１にあっては、例えば、使用していた所定用品を凹部１０５に戻したり、あるいは、新台の入れ替えやパチンコ遊技機２の配置変更等に伴って各凹部１０５内に収容されている所定用品をパチンコ遊技機２に対応する所定用品に交換するといった作業を遊技店の開店前または開店後といった営業時間外に店員等が行うことがある。所定用品を凹部１０５に戻す作業にあっては、凹部１０５に所定用品が戻されているか否かを確認する必要が生じる。また、所定用品を交換する作業にあっては、凹部１０５から古い所定用品を取り出す際に取り出し忘れ等が生じると、各凹部１０５内に新たな所定用品を収容する際に古い所定用品と新たな所定用品とが混在してしまう虞があるため、各凹部１０５から古い所定用品を取り出す作業時には、店員が各凹部１０５に古い所定用品が残っているか否かを確認する必要が生じる。
【００４１】
しかしながら、椅子Ｃに着席した遊技者の下肢が側方から視認され難くするために、仕切り体１０２に遮光性を持たせているため、例えば、上記した店員が各凹部１０５に所定用品があるか否かを確認する場合には、各仕切り体１０２の右方、つまり、遊技島１の一側方からしか確認することができず、店員が各仕切り体１０２の右方に移動しながら確認する必要があり、所定用品を収容領域に戻す際における遊技店の店員の作業効率が低下するといった問題がある。
【００４２】
そこで、本実施例の仕切装置１００にあっては、各仕切り体１０２における凹部１０５内の状態を容易に確認することができるようにしている。具体的には、仕切り体１０２を右側から見て凹部１０５の奥側に配置される奥面１０５ａに左右方向に貫通する貫通孔１０７を設けている。尚、この貫通孔１０７は、側壁部１０６よりも高い位置に配置されており、左右方向において側壁部１０６と重畳しないとともに、椅子Ｃの座面部Ｃ１よりも高い位置に配置されており、左右方向において椅子Ｃの座面部Ｃ１と重畳しない（図２参照）。
【００４３】
これによれば、図６（Ａ）に示すように、各凹部１０５から全て所定用品が取り除かれている場合には、遊技島１の左側端部から見て各貫通孔１０７が連通するようになるため、各凹部１０５から全て所定用品が取り除かれていることが確認できる。また、図６（Ｂ）に示すように、いずれかの仕切装置１００の凹部１０５に所定用品が残っている場合には、遊技島１の左側端部から見て所定用品が残っている仕切り体１０２の貫通孔１０７が所定用品により閉塞される。すなわち、遊技島１の左側方からでも、仕切り体１０２の貫通孔１０７を介して各凹部１０５内の状態、つまり、凹部１０５内に所定用品が収容されているか否かといった状態を容易に確認することができる。尚、遊技島１の右側方、つまり、仕切り体１０２における凹部１０５が形成された側面の反対側から仕切り体１０２の貫通孔１０７を介して各凹部１０５内の状態を確認できることは言うまでもない。
【００４４】
また、図６においては、遊技島１の左端部側において各貫通孔１０７に正対する方向から目視して各凹部１０５内の状態を確認する形態として説明したが、例えば、遊技島１の左端部側において各仕切装置１００の前方側にずれた位置（各貫通孔１０７の斜め方向）から目視して各凹部１０５内の状態を確認してもよい。これによれば、どの仕切装置１００に所定用品が残されているかを判定できるので、確認作業の効率が向上する。尚、この場合、貫通孔１０７が形成される部分の板厚が例えば４０ｍｍ以下程度であることが好ましい。つまり、板厚が小さければ、視点が貫通孔１０７から若干前後・左右・上下方向へずれたとしても凹部１０５を視認できるからである。
【００４５】
また、本実施例では、収容領域としての凹部１０５に、表示札１１やパチンコ遊技機２の説明書など遊技店が所有する所定用品を収容する形態を例示したが、本発明はこれに限定されるものではなく、遊技者が所有する所定用品を収容可能としてもよい。このように、遊技者の所持品を収容可能な収容領域として使用する場合、営業終了後において、遊技島１の左端部側において各貫通孔１０７に正対する方向から目視して各凹部１０５内の状態、例えば、忘れ物等があるか否かを容易に確認することができる。
【００４６】
貫通孔１０７は、凹部１０５より小さく、直径が例えば２０ｍｍ〜３０ｍｍ程度に形成されている。そのため、仕切装置１００を介して遊技者の下肢が側方から視認可能となる領域（貫通孔１０７）を小さくしつつ、凹部１０５内の確認作業を行うことができるようになっている。
【００４７】
図４及び図５に示すように、仕切り体１０２の奥面１０５ａには、オプションとして付属品等を取付けるための左右方向に延びる複数のネジ孔１０８が設けられている。尚、付属品の取付態様としては、後段にて詳述する。
【００４８】
また、仕切り体１０２における凹部１０５の上部には、他の装置と電気的に接続可能なＵＳＢコネクタ１１０が設けられている。また、仕切り体１０２における後端面側（膳板１３との対向する端面側）には、遊技島１の内部に設けられた他の装置から延設される配線と接続されるコネクタ１１１が設けられており、ＵＳＢコネクタ１１０とコネクタ１１１とは、配線１１２（中継基板等に形成された配線も含む）により接続されている。これによれば、遊技者が所有するスマートフォン等の電子機器をＵＳＢコネクタ１１０と接続させることにより、遊技島１から供給される電力により充電等を行うことができる。また、ＵＳＢコネクタ１１０の周囲には、遊技島１から電力が供給されたときに発光する発光枠１１３が設けられており、ＵＳＢコネクタ１１０が通電状態か否かを報知している。
【００４９】
次に、仕切装置１００にオプションとして肘掛装置４００を取付ける態様について図７及び図８を用いて説明する。図７は、（Ａ）は肘掛装置を取付けた仕切装置を前方から見た斜視図、（Ｂ）は仕切装置に肘掛装置を取付ける様子を前方から見た斜視図である。図８は、（Ａ）は肘掛装置の使用状態を示す正面断面図、（Ｂ）は肘掛装置の不使用状態を示す正面断面図である。
【００５０】
図７及び図８に示すように、仕切装置１００には、肘掛装置４００が着脱可能となっている。肘掛装置４００は、仕切り体１０２に固定されるベース部材４０１と、ベース部材４０１に対して前後に延びる軸４０３を中心に回動可能に取付けられる板状の可動板材４０２と、ベース部材４０１と可動板材４０２との間に連結されるリンク機構４１０と、から主に構成されている。
【００５１】
ベース部材４０１は、前後に延びる取付板部４０４と、取付板部４０４の前後両端から右方に突出する前板部４０５，後板部４０６と、を有する上面視略コ字形状に形成されており、取付板部４０４には、仕切り体１０２の奥面１０５ａに複数設けられたネジ孔１０８に対応する孔部４０７が複数形成されている。この孔部４０７を介してネジ孔１０８にネジＮを螺挿・緊締することによりベース部材４０１が仕切り体１０２に対して着脱可能に固定される。
【００５２】
可動板材４０２は、断面視コ字状を成す板材からなり、可動板材４０２を構成する前後の板部４０８，４０９には、対応した位置に前後に貫通する孔（図示せず）が形成されている。また、前板部４０５及び後板部４０６の間には、軸４０３が固定的に設置されており、この軸４０３に対して板部４０８，４０９に形成された孔を挿通させることにより、ベース部材４０１に対して可動板材４０２が回動可能に取付けられる。
【００５３】
リンク機構４１０は、一端側同士が第１回動軸４１３により軸支される２つのリンク部材４１１，４１２から成り、リンク部材４１１の他端側は、ベース部材４０１の前板部４０５に第２回動軸４１４に軸支されており、リンク部材４１２の他端側は、可動板材４０２の板部４０８に第３回動軸４１５により軸支されている。
【００５４】
図８（Ａ）に示すように、肘掛装置４００を使用するときには、可動板材４０２を操作して該可動板材４０２が水平、つまり、仕切り体１０２に対し直交する向きとなる使用状態とする。具体的には、可動板材４０２の下端を引き上げることにより、正面視において、リンク部材４１１が第２回動軸４１４を中心として時計回り（右回り）に回動し、リンク部材４１２が第３回動軸４１５を中心として反時計回り（左回り）に回動するように、リンク部材４１１，４１２が第１回動軸４１３を中心として相対的に回動する。つまり、肘掛装置４００の使用時には、リンク機構４１０がベース部材４０１と可動板材４０２との間で延伸動作する。尚、可動板材４０２が略水平な向きとなった際には、リンク部材４１１とリンク部材４１２とが図示しない干渉部により干渉し、それ以上回動しないようになっている。そのため、肘掛装置４００使用時には、可動板材４０２の上に荷重が掛かってもリンク機構４１０が突っ張るように作用し、可動板材４０２を安定して使用できる。
【００５５】
また、肘掛装置４００を使用しないときには、リンク部材４１１，４１２の接続箇所（第１回動軸４１３近傍）を操作して可動板材４０２が垂直な向きとなる収容状態とする。具体的には、リンク部材４１１，４１２の接続箇所を仕切り体１０２側に押圧することにより、正面視において、リンク部材４１１が第２回動軸４１４を中心として反時計回り（左回り）に回動し、リンク部材４１２が第３回動軸４１５を中心として時計回り（右回り）に回動するように、リンク部材４１１，４１２が第１回動軸４１３を中心として相対的に回動する。つまり、肘掛装置４００の不使用時には、リンク機構４１０がベース部材４０１と可動板材４０２との間で屈曲動作する。これにより、可動板材４０２が凹部１０５内に収容されるようになっている。尚、可動板材４０２が凹部１０５内に収容された際には、可動板材４０２と貫通孔１０７とが左右方向に重畳する。
【００５６】
これによれば、店員が開店前や開店後等に各仕切装置１００の肘掛装置４００が凹部１０５内に収容されているか否かを貫通孔１０７を介して遊技島１の左右いずれの方向からも確認することができるので、かかる確認作業を簡便に行うことができる。
【００５７】
次いで、仕切装置１００と分煙装置３０２との関係性について図９〜図１２を用いて説明する。図９は、（Ａ）は収容状態の分煙板装置を示す説明図、（Ｂ）は分煙板装置の構造を示すＢ−Ｂ断面図である。図１０は、（Ａ）は分煙板装置の延出動作時に第１分煙板が下方に傾いた状態を示す説明図、（Ｂ）は第１分煙板が傾斜面に案内された状態を示す説明図、（Ｃ）は第１分煙板が導光板の上面に案内された状態を示す説明図である。図１１は、ＬＥＤユニットにより導光板が発光した状態を示すＣ−Ｃ断面図である。
【００５８】
図９に示すように、分煙装置３０２は、ユーティリティーユニット７内から該ユーティリティーユニット７の前面に形成された開口７１を通じて仕切装置１００に向けて進退可能に構成されている。分煙装置３０２における第１分煙板３０３及び第２分煙板３０４の下辺は、仕切装置１００の導光板１０３の上面と略水平（またはやや上方）の位置に設置されている。
【００５９】
詳しくは、図９（Ｂ）に示すように、第１分煙板３０３は、透光性を有する板材により構成されており、第１分煙板３０３における第２分煙板３０４側の面の上下両端には、前後方向に亘って凹溝３０６ａが形成される凹レール３０６が取付けられている。
【００６０】
第２分煙板３０４は、透光性を有する板材により構成されており、第２分煙板３０４における第１分煙板３０３側の面の上下両端には、凹溝３０６ａに嵌合可能な凸条３１２ａを有する凸レール３１２が取付けられている。また、第２分煙板３０４は、第１分煙板３０３と反対側の面にも凸条３１４ａを有する凸レール３１４が取付けられている。また、ユーティリティーユニット７を構成するフレームには、凸レール３１４に対向するように、凹溝３１５ａを有する凹レール３１５が取付けられている。
【００６１】
これら凹レール３０６の凹溝３０６ａと凸レール３１２の凸条３１２ａ、凹レール３１５の凹溝３１５ａと凸レール３１４の凸条３１４ａは、それぞれ互いに嵌合しており、遊技者が第１分煙板３０３を手前側または奥側に動作させることによりユーティリティーユニット７の本体に対して仕切装置１００に向けて進退可能となっている。
【００６２】
また、第１分煙板３０３の前方側上端部には、断面視下向きコ字状のケース体３０７と、前後方向に沿って複数のＬＥＤ３０８が並列されたＬＥＤ基板３０９と、を備えるＬＥＤユニット３１１が取付けられている。このＬＥＤユニット３１１は、ケーブル３１６を介して遊技島１側から電力が供給されている（図９（Ａ）及び図１０参照）。尚、ケーブル３１６は、遊技島１側に設けられた図示しない張力調整手段により張力が付与されており、第１分煙板３０３及び第２分煙板３０４が前後に進退動作することに伴って該ケーブル３１６に撓みが生じることを防止している。
【００６３】
図１０（Ａ）に示すように、このような分煙装置３０２にあっては、経年劣化などにより凹レール３０６の凹溝３０６ａと凸レール３１２の凸条３１２ａ、凹レール３１５の凹溝３１５ａと凸レール３１４の凸条３１４ａの間に緩み等が生じる場合があり、このような場合には、ユーティリティーユニット７内から仕切装置１００に向けて進出動作させる際に、第１分煙板３０３及び第２分煙板３０４が下方に傾く（変位する）ことがある。特に、前方側に配置される第１分煙板３０３は、各第１分煙板３０３及び第２分煙板３０４を支持する凹レール３１５から遠くなるため下方に傾きやすい。このように下方に傾きながら前方に進出する第１分煙板３０３は、その下端前方の角部３０３ａが導光板１０３の遊技島１側の端部に設けられる傾斜面１０３ａに当接する。
【００６４】
そして、図１０（Ｂ）に示すように、第１分煙板３０３は、角部３０３ａが傾斜面１０３ａに沿って案内されながら前方へ進出する。すなわち、第１分煙板３０３は、角部３０３ａが上向きに移動するため、前方へ進出するにつれて下方への傾きが矯正される。そのため、遊技者が第１分煙板３０３を引出す際に、遊技者の手が上方へ案内されることとなり、第１分煙板３０３と仕切装置１００との間に手を挟みにくくすることができる。
【００６５】
図１０（Ｃ）に示すように、第１分煙板３０３の角部３０３ａが傾斜面１０３ａを越えると、第１分煙板３０３の下辺が導光板１０３の上面（水平面）に載置され、各第１分煙板３０３及び第２分煙板３０４の下辺が水平な状態となる。このように、分煙装置３０２使用時には、第１分煙板３０３が導光板１０３の上面に支持されるため、仕切装置１００の上部を安定した状態で仕切ることができる。
【００６６】
また、分煙装置３０２の使用時には、ＬＥＤユニット３１１により仕切装置１００の導光板１０３を発光させることができる。具体的には、図１１に示すように、導光板１０３の下面には、複数の凹部１０３ｂ（反射部）が形成されている。この凹部１０３ｂは、第１分煙板３０３を介して導光板１０３の上面から入射するＬＥＤユニット３１１のＬＥＤ３０８からの入射光を周囲に拡散させるようになっている。このように、ＬＥＤ３０８からの入射光が複数の凹部１０３ｂにより拡散されて導光板１０３の上面や側面から外側に出射されることで導光板１０３が発光状態となる。尚、導光板１０３が発光する色、点滅パターン、発光位置、発光範囲などは、ＬＥＤユニット３１１や凹部１０３ｂ等を適宜調整することで、種々に変更可能である。
【００６７】
次いで、第１分煙板３０３の下端部の変位を案内する案内部の変形例について図１２を用いて説明する。図１２は、（Ａ）は案内部の変形例を示す背面側から見た斜視図、（Ｂ）は変形例における案内部に第１分煙板が案内された状態を示す説明図である。
【００６８】
図１２に示されるように、導光板１０３’の左右方向略中央部には、前後方向に亘って延設される凹条部１２０が形成されており、この凹条部１２０の底面１２０ａは、収容状態における第１分煙板３０３の下辺よりも低い位置に設定されている。第１分煙板３０３が前方側に引出されると、第１分煙板３０３の角部３０３ａが凹条部１２０内に挿入され、第１分煙板３０３の下端側方縁が凹条部１２０の左右の側面１２０ｂ，１２０ｂ（片側のみ図示）に案内される。そのため、第１分煙板３０３が進出状態において、該第１分煙板３０３が導光板１０３に対して左右方向に位置ズレし難くなり、第１分煙板３０３の下辺が導光板１０３により安定して支持される。また、第１分煙板３０３が凹条部１２０と凹凸嵌合して一体となるため、第１分煙板３０３が進出状態において、煙草の煙が凹条部１２０と第１分煙板３０３との間から回り込みにくくなり、遮煙性を高めることができる。
【００６９】
また、第１分煙板３０３が下方に傾いた場合であっても、第１分煙板３０３の角部３０３ａが凹条部１２０の底面１２０ａに規制され、大きく下方に傾くことが防止される。尚、凹条部１２０における傾斜面１０３ａに対応する端部は、遊技島１に向けて左右方向に広がるように形成することで、第１分煙板３０３を凹条部１２０にスムーズに案内することが可能となる。
【００７０】
以上説明したように、仕切り体１０２は、遮光性を有し、仕切り体１０２の一側面には表示札１１や肘掛装置４００を収容するための凹部１０５が設けられ、仕切り体１０２における凹部１０５に対応する箇所に貫通孔１０７が設けられているため、凹部１０５が設けられた面の反対側から貫通孔１０７を介して凹部１０５の状態を確認することが可能となる。
【００７１】
具体的には、仕切り体１０２は、遮光性を有しているため、椅子Ｃに着席した遊技者の下肢が側方から視認され難くなり、一部の遊技者（例えば、女性の遊技者等）が、その遊技者の下肢に対する他の遊技者からの視線によって遊技に集中できない等といった問題が解消される一方、貫通孔１０７により遊技島１の両側方から仕切り体１０２の貫通孔１０７を介して各凹部１０５内の状態を容易に確認することができる。
【００７２】
尚、本実施例の仕切装置１００は、遊技島１におけるパチンコ遊技機２の前下方の空間Ｓを仕切る形態を例示して説明したが、本発明はこれに限定されるものではなく、パチンコ遊技機２の前下方の空間Ｓを仕切るものであればよい。例えば、各パチンコ遊技機２の前方における右側下方または左側下方のいずれか一方に仕切装置１００を配置してもよいし、各パチンコ遊技機２の前方における左右両側に仕切装置１００を配置してもよい。また、本実施例では、ユーティリティーユニット７の分煙装置３０２の位置に対応して仕切装置１００が配置されていたが、カードユニット６やスペーサ８の位置に対応して配置されていてもよい。
【００７３】
また、遊技島１の前方側下方の空間Ｓをパチンコ遊技機２ごとに仕切ることに限られず、遊技島１の前方側下方の空間Ｓを数台のパチンコ遊技機２ごとに仕切るように配置されてもよい。つまり、仕切装置１００は、１のパチンコ遊技機２に対し１つまたは複数設置してもよいし、複数のパチンコ遊技機２に対し１つまたは複数設置してもよい。
【００７４】
また、本実施例では、遊技島１の左右端部には、仕切装置１００が配置されない形態を例示して説明したが、本発明はこれに限定されるものではなく、遊技島１の左右端部にも仕切装置１００を配置して遊技島１の左右側方に配置される通路との間を仕切るようになっていてもよい。
【００７５】
また、本実施例の仕切装置１００は、床面Ｙから立設する形態を例示して説明したが、本発明はこれに限定されるものではなく、空間Ｓを仕切ることが可能なものであれば、例えば、遊技島１に固定し、仕切装置１００の下端が床面Ｙから若干離間するように設置してもよい。尚、仕切装置１００は、板状の仕切り体１０２からなるものに限られず、種々の形状に変更してもよい。
【００７６】
また、本実施例の仕切装置１００は、その上端面がパチンコ遊技機２の下端面と略同一となる高さとなっていたが、本発明はこれに限定されるものではなく、遊技者の下肢の一部が側方から視認困難または視認不能となっていれば、仕切装置１００の高さは自由に変更してもよい。
【００７７】
また、本実施例の仕切り体１０２は、所定用品を収容するための収容領域として凹部１０５が側面に凹設されている形態を例示して説明したが、本発明はこれに限定されるものではなく、例えば、仕切り体１０２の側面から側方に張り出して形成される棚板等にて形成されていてもよい。また、仕切り体１０２は、片面側（右面側）にのみ所定用品を収容するための収容領域が設けられていたが、仕切り体１０２の両面に収容領域が設けられていてもよい。尚、仕切装置１００の１つの側面に形成する収容領域の数量や大きさ、形状等は、種々に変更可能である。
【００７８】
また、本実施例の仕切り体１０２は、該仕切り体１０２全体が遮光性を有する形態を例示して説明したが、本発明はこれに限定されるものではなく、椅子Ｃに着座した遊技者の下肢と左右方向に重畳する領域が遮光性を有し、遊技者の下肢が側方から視認困難または視認不能になっていれば、その他の領域は透光性を有していてもよい。
【００７９】
また、本実施例の仕切り体１０２には、透光部としての貫通孔１０７が設けられ、該貫通孔１０７を介して側方から収容領域内の状態を確認できるようになっていたが、透光部は、該透光部を介して仕切り体１０２の側方から収容領域内の状態を確認できるようなものであれば上記貫通孔１０７のような孔部または開口等でもよいし、アクリル板等の透光性を有する部材で塞がれた窓部等でもよい。
【００８０】
さらに、貫通孔１０７の形状は円筒形状でなくてもよく、四角形や三角形など種々に変更可能である。また、貫通孔１０７の配置位置は、上記実施例に記載した位置に限定されるものではなく、収容領域である凹部１０５に対応する位置であれば種々に変更可能であり、例えば、椅子Ｃに対応する位置に形成されていてもよい。さらに、配置数も１つに限定されるものではなく、複数箇所に形成されていてもよい。また、貫通孔１０７は、肘掛装置４００などの付属品を着脱可能に取付けるためのネジ孔１０８と兼用するようにしてもよい。
【００８１】
また、仕切り体１０２の上部には、変位可能な第１分煙板３０３の下端部の変位を案内する傾斜面１０３ａが設けられているため、第１分煙板３０３の変位を円滑に案内することができる。具体的には、前後方向に変位可能な第１分煙板３０３の進出動作時に起こる下方への傾斜（変位）を傾斜面１０３ａが上方に案内するので、第１分煙板３０３が仕切り体１０２と干渉して該第１分煙板３０３の進出動作が阻害されることを抑制できる。また、傾斜面１０３ａにより第１分煙板３０３が水平な状態（適正な状態）となるので、第１分煙板３０３の進出時の見栄えがよい。また、第１分煙板３０３の進出時には、導光板１０３の上面に載置されるので、第１分煙板３０３が水平な状態で安定する。
【００８２】
尚、第１分煙板３０３を有する分煙装置３０２は、ユーティリティーユニット７内から前後方向に進退可能となっており、第１分煙板３０３の進出時に傾斜面１０３ａにより下方への傾斜が規制される形態について説明したが、本発明はこれに限定されるものではなく、第１分煙板３０３の下端部の変位を案内できるものであればよく、例えば、第１分煙板３０３が仕切り体１０２の上方から下方に向けて移動するようになっており、第１分煙板３０３の下端部が仕切り体１０２の上端に当接することでそれ以上の下方への移動が規制されるようになっていてもよい。また、仕切り体１０２の上部に設けられる上部仕切り体は、分煙装置３０２に限定されず、仕切り体１０２の上部空間を仕切ることができるものであれば分煙機能を有していなくてもよい。さらに、本実施例のように収納可能に設けられていなくてもよい。
【００８３】
また、仕切り体１０２は、他の装置と電気的に接続可能なＵＳＢコネクタ１１０及びコネクタ１１１を有するため、他の装置と接続可能とすることができる。具体的には、遊技者が所有するスマートフォン等の電子機器をＵＳＢコネクタ１１０と接続させることにより、コネクタ１１１を介して遊技島１から供給される電力により充電等を行うことができる。
【００８４】
尚、本実施例では、他の装置と電気的に接続可能な接続部として、遊技者側の装置に電力を供給するＵＳＢコネクタ１１０と、遊技島側の装置から電力を受けるコネクタ１１１と、備える形態を例示して説明したが、本発明はこれに限定されるものではなく、接続部は少なくとも１つ設けられていればよい。例えば、仕切装置１００内に設置されるバッテリにより電力が供給されるＵＳＢコネクタを接続部としてもよいし、仕切装置１００内に設置される電子機器に遊技島１から供給される電力を伝えるコネクタ１１１を接続部としてもよい。さらに、接続部はコンセントやイヤホンジャック等の他の接続部であってもよい。
【００８５】
また、接続部は、ＵＳＢコネクタ１１０やコネクタ１１１のように他の装置と配線により直接的に接続されるものに限られず、無線ＬＡＮや赤外線通信等の無線通信装置により他の装置と接続されるものであってもよい。また、動作する他の装置としては、スピーカや液晶表示装置、または仕切り体１０２の装飾性を高める照明等であってもよい。また、コネクタ１１１は、遊技島１内に設けられる他の装置に接続されているが、他の装置としては、電源装置、カードユニット６、パチンコ遊技機２、ユーティリティーユニット７に設けられた装置、遊技島１の関連装置等を含む。
【００８６】
また、仕切り体１０２は、ＬＥＤユニット３１１からの光により発光する導光板１０３を有するため、仕切り体１０２に光源を設けることなく装飾性を高めることができる。具体的には、第１分煙板３０３を介して導光板１０３の上面からＬＥＤユニット３１１のＬＥＤ３０８からの光を入射させることにより、該入射光が導光板１０３の下面に設けられた複数の凹部１０３ｂにより周囲に拡散されるため、導光板１０３が発光し、仕切り体１０２の装飾性が向上する。
【００８７】
尚、本実施例では、パチンコ遊技機２に対応して設けられる遊技用装置の一例であるユーティリティーユニット７に搭載されたＬＥＤユニット３１１により導光板１０３が発光するようになっていたが、本発明はこれに限定されるものではなく、例えば、パチンコ遊技機２に対応して設けられる遊技用装置であるカードユニット６に搭載された発光手段により発光するようにしてもよいし、パチンコ遊技機２あるいは店内の照明から発せられる光等を外部光源として発光するようになっていてもよい。
【００８８】
例えば、遊技用装置に搭載された発光手段により発光させる場合、遊技店側において装飾用に発光させることができる一方、パチンコ遊技機２に搭載された発光手段により発光させる場合、演出など遊技に関連して発光させることが可能となる。また、透光性を有する導光板１０３が発光するようになっていたが、本発明はこれに限定されるものではなく、光を反射させる反射板等を発光部としてもよい。尚、この発光部の位置や形状、発光色などは種々に変更可能である。また、仕切り体１０２に発光手段（ＬＥＤ等）と発光手段についての電源スイッチとを設けてもよい。
【００８９】
また、発光部を仕切り体１０２の一側面（右面）に設けて、仕切り体１０２の他側面（左面）の側から、発光部の状態（発光しているか否か）を透光部としての貫通孔１０７を通じて、確認可能となるように構成してもよい。このような構成では、図６（Ａ）に示すように、遊技島１の左側端部から見て各貫通孔１０７が連通するようになるため、各発光部の状態を確認できる。
【００９０】
また、仕切り体１０２には、遊技に関連する情報を表示可能な表示札１１が着脱可能であることにより、遊技前の遊技客に対して遊技に関連する情報を提供することができる。具体的には、仕切り体１０２には、スリット状の取付部１０４が設けられている。また、表示札１１は、遊技に関する情報を表示する情報表示部１１ａと、情報表示部１１ａから突出する差込部１１ｂと、を備えており、差込部１１ｂを取付部１０４に差し込むことで取付部１０４に対して表示札１１が着脱可能となっている。このように、表示札１１により遊技前の遊技客に対して遊技に関連する情報を提供することができるため、遊技への訴求効果を向上させることができる。
【００９１】
また、この取付部１０４は、仕切り体１０２の前面側、つまり隣接する遊技島１，１間の通路側に設けられているため、遊技客が遊技島１の側方から表示札１１を視認し易い。また、この表示札１１によって、着座する遊技者の下肢を視認困難とすることができる。
【００９２】
尚、取付部１０４に表示札１１の差込部１１ｂを差し込むことで仕切り体１０２に対して表示札１１が取付けられる構造になっていたが、仕切り体１０２に対する表示札１１の取付態様は種々に変更可能であり、例えば、表示札１１を仕切り体１０２に対しボルトナット等で着脱可能に取付けてもよいし、表示札１１を保持するクリップ等の保持手段を仕切り体１０２に設けてもよい。また、仕切り体１０２の側面に直接取付けできるようにしてもよい。
【００９３】
また、仕切り体１０２には、肘掛装置４００が着脱可能であり、遊技者に対して快適な遊技スペースを提供できる。具体的には、ネジＮにより肘掛装置４００が仕切り体１０２に対して着脱可能に固定されているため、簡単な構成で仕切り体１０２に肘掛装置４００を着脱可能となっている。尚、肘掛装置４００は、ネジＮにより仕切り体１０２に対して着脱可能に固定されることに限られず、例えば、仕切り体１０２と肘掛装置４００とが凹凸嵌合することにより着脱可能に固定されてもよいし、別体の固定手段により着脱可能に取付けられていてもよい。
【００９４】
また、仕切り体１０２には、遊技者の所持品を掛けるための引掛け部１０９が設けられているため、遊技者の利便性を向上させることができる。例えば、遊技者の所持品である傘Ａやカバン等を掛けることができるようになっている。
【００９５】
また、所定用品は、凹部１０５に収容される収容状態と使用状態とに変形可能な可動板材４０２であり、可動板材４０２は、前記収容状態において貫通孔１０７に重なるように配置されている。これにより、凹部１０５が設けられた面の反対側から貫通孔１０７を介して可動板材４０２が収容状態か否かを確認することができる。
【００９６】
尚、本実施例では、可動板材４０２が肘掛装置４００の一部を構成する形態について説明したが、本発明はこれに限定されるものではなく、例えば、遊技者の所持品等を載置できる載置板（テーブル）として機能するものであってもよい。
【００９７】
以上、本発明の実施例を図面により説明してきたが、具体的な構成はこれら実施例に限られるものではなく、本発明の要旨を逸脱しない範囲における変更や追加があっても本発明に含まれる。
【００９８】
また、前記実施例では、カードユニット６とユーティリティーユニット７とスペーサ８とが設置される遊技店としてパチンコ遊技機２やスロットマシン等が設置されるパチンコ店を例示しているが、本発明が適用される遊技店はゲームセンタなどであってもよい。
【００９９】
また、前記実施例では、パチンコ遊技機２の左側方に該パチンコ遊技機２に対応するカードユニット６とユーティリティーユニット７とを該パチンコ遊技機２と近接して配置し、パチンコ遊技機２の右側方に該パチンコ遊技機２に対応するスペーサ８を該パチンコ遊技機２と近接して配置する形態を例示したが、本発明はこれに限定されるものではなく、カードユニット６とユーティリティーユニット７とスペーサ８とは、対応するパチンコ遊技機２に対する位置や配置順は自由に配置しても良い。
【０１００】
また、前記実施例では、仕切装置１００に他の装置と電気的に接続可能な接続部としてＵＳＢコネクタ１１０、コネクタ１１１が設けられていたが、これら以外に、例えば、パチンコ遊技機２やカードユニット６等の遊技用装置に接続される電気機器（例えば、スピーカや表示装置等）を設けてもよい。
【符号の説明】
【０１０１】
１          遊技島
２          パチンコ遊技機
１１        表示札
１００      仕切装置
１０２      仕切り体
１０３      導光板
１０３ａ    傾斜面
１０５      凹部
１０７      貫通孔
１１０      ＵＳＢコネクタ
１２０      凹条部
３０２      分煙装置
４００      肘掛装置
Ｓ          空間
【図１】
2017195954.tif 000003
【図２】
2017195954.tif 000004
【図３】
2017195954.tif 000005
【図４】
2017195954.tif 000006
【図５】
2017195954.tif 000007
【図６】
2017195954.tif 000008
【図７】
2017195954.tif 000009
【図８】
2017195954.tif 000010
【図９】
2017195954.tif 000011
【図１０】
2017195954.tif 000012
【図１１】
2017195954.tif 000013
【図１２】
2017195954.tif 000014